(57)【要約】【課題】気導音だけでは聞こえづらい環境下においても聞こえやすく、部品点数が少なく実装も容易であって、消費電力の小さな通話装置を提供する。【解決手段】通話装置１００は、利用者の耳及び／又は耳周辺の人体に少なくとも一部を当接させることが可能な位置に設けられた当接部材としての機能を持つ保護パネル１０１と、保護パネル１０１に対して面接合されており、保護パネル１０１から利用者の頭蓋骨を介しては利用者の聴覚器官に振動が伝わらない可聴域の周波数帯の振動を行う振動子１１１と、を備える。【選択図】図２
2013255212.tif 000002
【特許請求の範囲】
【請求項１】
利用者の耳及び／又は耳周辺の人体に少なくとも一部を当接させることが可能な位置に設けられた当接部材と、
前記当接部材に対して面接合されており、前記当接部材から利用者の頭蓋骨を介しては利用者の聴覚器官に振動が伝わらない可聴域の周波数帯の振動を行う振動子と、
を備える通話装置。
【請求項２】
利用者の耳及び／又は耳周辺の人体に少なくとも一部を当接させることが可能な位置に設けられた当接部材と、
前記当接部材に対して面接合されており、前記当接部材から聴覚器官に伝わる振動と気導音のうち、利用者の頭蓋骨を介して利用者の内耳に伝わる振動が、利用者の外耳を介して利用者の内耳に伝わる振動と気導音よりも小さい可聴域の周波数帯の振動を行う振動子と、
を備える通話装置。
【請求項３】
請求項１又は請求項２に記載の通話装置において、
前記振動子は、圧電素子であること、
を特徴とする通話装置。
【請求項４】
請求項３に記載の通話装置において、
前記振動子は、板面の法線方向から見たときの形状が矩形形状である板形状に形成された積層型バイモルフ圧電素子であること、
を特徴とする通話装置。
【請求項５】
請求項３又は請求項４に記載の通話装置において、
前記振動子は、屈曲振動を行うこと、
を特徴とする通話装置。
【請求項６】
請求項１から請求項５までのいずれか１項に記載の通話装置において、
前記振動子の前記当接部材に接合している面とは反対側には、空隙が設けられている、及び／又は、前記振動子の振動に追従して変形する弾性部材が接触していること、
を特徴とする通話装置。
【請求項７】
請求項１から請求項６までのいずれか１項に記載の通話装置において、
前記当接部材と前記振動子とは、両面テープにより面接合されていること、
を特徴とする通話装置。
【請求項８】
請求項１から請求項７までのいずれか１項に記載の通話装置において、
当該通話装置は、通常の使用状態よりも大音量で利用者に音声を伝える大音量モードで動作することができ、
前記大音量モード時に、前記振動子を振動させる信号を増幅する増幅部を備えること、
を特徴とする通話装置。
【請求項９】
請求項８に記載の通話装置において、
前記大音量モード時には、疑似耳を搭載したダミーヘッドへ振動子直上の位置又は最大出力を得られる位置を中心にして、前記当接部材を疑似耳に４から１０Ｎの圧力であてた状態で、ダミーヘッドの鼓膜位置での気導音が周波数１ｋＨｚにおいて１００ｄＢＡ以上の測定値が得られること、
を特徴とする通話装置。
【請求項１０】
請求項８又は請求項９に記載の通話装置において、
前記信号のダイナミックレンジを圧縮するダイナミックレンジ圧縮部を備えること、
を特徴とする通話装置。
【請求項１１】
請求項８から請求項１０までのいずれか１項に記載の通話装置において、
前記大音量モード時に、周波数イコライジングを行うイコライザ部を備えること、
を特徴とする通話装置。
【請求項１２】
請求項１１に記載の通話装置において、
前記イコライザ部は、２ｋＨｚから４ｋＨｚの周波数帯域の音量を抑制すること、
を特徴とする通話装置。
【請求項１３】
請求項８から請求項１２までのいずれか１項に記載の通話装置において、
前記当接部材は、通話装置の筐体と直接接触しないように前記筐体との間に距離を保つように配置されていること、
を特徴とする通話装置。
【発明の詳細な説明】
【技術分野】
【０００１】
本発明は、携帯電話端末や固定電話端末等の通話装置に関するものである。
【背景技術】
【０００２】
携帯電話端末の着信時や音楽再生時等に、空気を振動させる気導音を発する手段として、従来のスピーカに代えてパネルスピーカを用いるものが知られている（例えば、特許文献１参照）。しかし、気導音だけでは気導音よりも騒音が大きい場合に聞こえづらくなる場合があった。
【０００３】
一方、周囲の騒音が激しい場所では、骨伝導が有効であることが知られている（例えば、特許文献２参照）。しかし、骨伝導のように頭蓋骨を振動させるほど強い振動は、携帯電話等の電力の少ない機器には消費電力の面で不向きであった。そもそも、骨伝導の音は小さいため気導音にかき消されやすい。したがって、振動を大きくする必要があり、また、その大きな振動を筐体に伝わらないように、振動部と筐体とは隔離された構造とする必要があり、製造が複雑であるという欠点があった。
また、従来の振動子では、保護パネルがガラスのような固い素材で形成されていたり、防水等で隅が接着されていたりする場合、保護パネルの表面を振動させるには大きな電力が必要であった。したがって、従来の振動子は、携帯電話のような電力の少ない機器には消費電力の面で不向きであった。
【先行技術文献】
【特許文献】
【０００４】
【特許文献１】特許第３９２９４６５号公報
【特許文献２】特開２００３−１４５０４８号公報
【発明の概要】
【発明が解決しようとする課題】
【０００５】
本発明の課題は、気導音だけでは聞こえづらい環境下においても聞こえやすく、部品点数が少なく実装も容易であって、消費電力の小さな通話装置を提供することである。
【課題を解決するための手段】
【０００６】
本発明は、上記の課題を解決するために、以下の事項を提案している。なお、理解を容易にするために、本発明の実施形態に対応する符号を付して説明するが、これに限定されるものではない。
【０００７】
（１）本発明は、利用者の耳及び／又は耳周辺の人体に少なくとも一部を当接させることが可能な位置に設けられた当接部材（１０１，２１０，３４０，４０１）と、前記当接部材に対して面接合されており、前記当接部材から利用者の頭蓋骨を介しては利用者の聴覚器官に振動が伝わらない可聴域の周波数帯の振動を行う振動子（１１１，２１１，３１１，４１１，５１１）と、を備える通話装置（１００，２００，３００，４００，５００）を提案している。
【０００８】
この発明によれば、当接部材は、利用者の耳及び／又は耳周辺の人体に少なくとも一部を当接させることが可能な位置に設けられている。振動子は、当接部材に対して面接合されており、当接部材から利用者の頭蓋骨を介しては利用者の聴覚器官に振動が伝わらない可聴域の周波数帯の振動を行う。したがって、通話装置は、気導音だけでは聞こえづらい環境下においても聞こえやすく、部品点数が少なく実装も容易であって、消費電力を小さくできる。
【０００９】
（２）本発明は、利用者の耳及び／又は耳周辺の人体に少なくとも一部を当接させることが可能な位置に設けられた当接部材（１０１，２１０，３４０，４０１）と、前記当接部材に対して面接合されており、前記当接部材から聴覚器官に伝わる振動と気導音のうち、利用者の頭蓋骨を介して利用者の内耳に伝わる振動が、利用者の外耳を介して利用者の内耳に伝わる振動と気導音よりも小さい可聴域の周波数帯の振動を行う振動子（１１１，２１１，３１１，４１１）と、を備える通話装置（１００，２００，３００，４００，５００）を提案している。
【００１０】
この発明によれば、当接部材は、利用者の耳及び／又は耳周辺の人体に少なくとも一部を当接させることが可能な位置に設けられている。振動子は、当接部材に対して面接合されており、当接部材から利用者の人体を介して聴覚器官に伝わる振動と気導音のうち、利用者の頭蓋骨を介して利用者の内耳に伝わる振動が、利用者の外耳を介して利用者の内耳に伝わる振動と気導音よりも小さい可聴域の周波数帯の振動を行う。したがって、通話装置は、気導音だけでは聞こえづらい環境下においても、気導音に加え振動も人体に伝えることが可能となり、聞こえやすく、部品点数が少なく実装も容易であって、消費電力を小さくできる。
【００１１】
（３）本発明は、（１）又は（２）に記載の通話装置において、前記振動子（１１１，２１１，３１１，４１１，５１１）は、圧電素子であること、を特徴とする通話装置（１００，２００，３００，４００，５００）を提案している。
【００１２】
この発明によれば、振動子は、圧電素子である。したがって、振動子を小型かつ安価にできる。
【００１３】
（４）本発明は、（３）に記載の通話装置において、前記振動子（１１１，２１１，３１１，４１１，５１１）は、板面の法線方向から見たときの形状が矩形形状である板形状に形成された積層型バイモルフ圧電素子であること、を特徴とする通話装置（１００，２００，３００，４００，５００）を提案している。
【００１４】
この発明によれば、振動子は、板面の法線方向から見たときの形状が矩形形状である板形状に形成された積層型バイモルフ圧電素子である。したがって、小型の振動子でありながら、必要な振動を容易に確保できる。
【００１５】
（５）本発明は、（３）又は（４）に記載の通話装置において、前記振動子（１１１，２１１，３１１，４１１，５１１）は、屈曲振動を行うこと、を特徴とする通話装置（１００，２００，３００，４００，５００）を提案している。
【００１６】
この発明によれば、振動子の屈曲振動によって、当接部材がガラスのような固い素材で形成されていたり、防水等で隅が接着されていたりする場合であっても、少ない消費電力で振動を発生させることができる。
【００１７】
（６）本発明は、（１）から（５）までのいずれか１項に記載の通話装置において、前記振動子（１１１，２１１，３１１，４１１）の前記当接部材（１０１，２１０，３４０，４０１）に接合している面とは反対側には、空隙（Ｓ）が設けられている、及び／又は、前記振動子の振動に追従して変形する弾性部材が接触していること、を特徴とする通話装置（１００，２００，３００，４００）を提案している。
【００１８】
この発明によれば、振動子の当接部材に接合している面とは反対側には、空隙が設けられている、及び／又は、振動子の振動に追従して変形する弾性部材が接触している。したがって、振動子は、振動を阻害されることなく振動でき、振動エネルギのロスが少なくなる。よって、通話装置は、小型の振動子を用いることができるとともに、消費電力を低く抑えることができる。
【００１９】
（７）本発明は、（１）から（６）までのいずれか１項に記載の通話装置において、前記当接部材（１０１，２１０，３４０，４０１）と前記振動子（１１１，２１１，３１１，４１１）とは、両面テープ（１１３，２１３，３１３）により面接合されていること、を特徴とする通話装置（１００，２００，３００，４００）を提案している。
【００２０】
この発明によれば、当接部材と振動子とは、両面テープにより面接合されている。したがって、振動子の保持構造が簡単となり、通話装置は、より小型化と軽量化された装置とすることができる。
【００２１】
（８）本発明は、（１）から（７）までのいずれか１項に記載の通話装置において、当該通話装置は、通常の使用状態よりも大音量で利用者に音声を伝える大音量モードで動作することができ、前記大音量モード時に、前記振動子（５１１）を振動させる信号を増幅する増幅部（５５７）を備えること、を特徴とする通話装置（５００）を提案している。
【００２２】
この発明によれば、通話装置は、通常の使用状態よりも大音量で利用者に音声を伝える大音量モードで動作することができ、大音量モード時に、振動子を振動させる信号を増幅する増幅部を備える。よって、通話装置は、難聴者にとって聞き取りやすい音声伝達を行うことができる。
【００２３】
（９）本発明は、（８）に記載の通話装置において、前記大音量モード時には、疑似耳を搭載したダミーヘッドへ振動子直上の位置又は最大出力を得られる位置を中心にして、前記当接部材を疑似耳に４から１０Ｎの圧力であてた状態で、ダミーヘッドの鼓膜位置での気導音が周波数１ｋＨｚにおいて１００ｄＢＡ以上の測定値が得られること、を特徴とする通話装置（５００）を提案している。
【００２４】
この発明によれば、通話装置は、大音量モード時には、疑似耳を搭載したダミーヘッドへ振動子直上の位置又は最大出力を得られる位置を中心にして、前記当接部材を疑似耳に４から１０Ｎの圧力であてた状態で、ダミーヘッドの鼓膜位置での気導音が周波数１ｋＨｚにおいて１００ｄＢＡ以上の測定値が得られる。よって、通常の通話装置ではあり得ないほどの大音量を出力でき、難聴者の利用に適した通話装置とすることができる。
【００２５】
（１０）本発明は、（８）又は（９）に記載の通話装置において、前記信号のダイナミックレンジを圧縮するダイナミックレンジ圧縮部（５５５）を備えること、を特徴とする通話装置（５００）を提案している。
【００２６】
この発明によれば、通話装置は、信号のダイナミックレンジを圧縮するダイナミックレンジ圧縮部を備える。これにより、リクルートメント現象を有する難聴者に対しては、ダイナミックレンジ圧縮を大きくすることで本現象を軽減することが可能である。よって、通話装置は、聞き取りやすい音声伝達を実現できる。
【００２７】
（１１）本発明は、（８）から（１０）までのいずれか１項に記載の通話装置において、前記大音量モード時に、周波数イコライジングを行うイコライザ部（５５４）を備えること、を特徴とする通話装置（５００）を提案している。
【００２８】
この発明によれば、通話装置は、大音量モード時に、周波数イコライジングを行うイコライザ部を備える。よって、通話装置は、特定の周波数が耳に付いたり聞こえなかったりする難聴者にとって、イコライジング処理によりその周波数帯の音を抑制したり増幅したりすることができ、難聴者にとって聞き取りやすい音声伝達を実現できる。
【００２９】
（１２）本発明は、（１１）に記載の通話装置において、前記イコライザ部（５５４）は、２ｋＨｚから４ｋＨｚの周波数帯域の音量を抑制すること、を特徴とする通話装置を提案している。
【００３０】
この発明によれば、イコライザ部は、２ｋＨｚから４ｋＨｚの周波数帯域の音量を抑制する。よって、通話装置は、耳に付きやすい音漏れ周波数（２ｋＨｚから４ｋＨｚ）の出力を抑性できる。
【００３１】
（１３）本発明は、（８）から（１２）までのいずれか１項に記載の通話装置において、前記当接部材（５０１）は、通話装置の筐体（５１０）と直接接触しないように前記筐体との間に距離を保つように配置されていること、を特徴とする通話装置（５００）を提案している。
【００３２】
この発明によれば、当接部材は、通話装置の筐体と直接接触しないように筐体との間に距離を保つように配置されている。よって、当接部材が大きく振動しても、筐体と接触することなく、不快な振動音の発生を防止できる。
【発明の効果】
【００３３】
本発明によれば、例えば、気導音だけでは聞こえづらい環境下においても、気導音に加え振動を人体に伝えることが可能となり、聞きやすい音声伝達を行える。
また、従来の骨伝導デバイスよりも実装が容易で、消費電力を小さくし、その部品点数も少なくすることができる。
さらに、通話装置の筐体等が振動しても、触覚に感じない程の大きさの振動なので、不快に感じることもない。
【図面の簡単な説明】
【００３４】
【図１】第１実施形態の通話装置１００を示す斜視図である。
【図２】通話装置１００の一部を図１中の矢印Ａ−Ａで切断した断面図である。
【図３】第２実施形態の通話装置２００を示す斜視図である。
【図４】通話装置２００の一部を図３中の矢印Ｂ−Ｂで切断した断面図である。
【図５】第３実施形態の通話装置３００を示す斜視図である。
【図６】通話装置３００の一部を図５中の矢印Ｃ−Ｃで切断した断面図である。
【図７】第４実施形態の通話装置４００を示す斜視図である。
【図８】保護パネル１０１の振動の様子を誇張して示した図である。
【図９】第５実施形態の通話装置５００を示す斜視図である。
【図１０】通話装置５００の一部を図９中の矢印Ｄ−Ｄで切断した断面図である。
【図１１】第５実施形態の通話装置５００の内部構成の概略を示すブロック図である。
【図１２】イコライザ部５５４が行う周波数イコライジングの例を示す図である。
【図１３】難聴者の聴力を説明するグラフである。
【図１４】リクルートメント現象を説明する図である。
【図１５】ダイナミックレンジ圧縮処理の概要を示す図である。
【発明を実施するための形態】
【００３５】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３６】
（第１実施形態）
図１は、第１実施形態の通話装置１００を示す斜視図である。
なお、図１を含め、以下に示す各図は、模式的に示した図であり、各部の大きさ、形状は、理解を容易にするために、適宜誇張して示している。
以下の説明では、図１中で見えている側の面を表面と呼び、見えていない側の面を裏面と呼ぶ。
【００３７】
通話装置１００は、筐体１１０の表面側に、保護パネル１０１と、操作キー１０２と、マイク１０３とを備えた携帯電話端末である。
【００３８】
保護パネル１０１は、表示画面上に設けられており、利用者の耳や、耳周辺の人体に少なくとも一部を当接させることにより、本発明における軟骨伝導を利用した音声伝達を可能とする当接部材である。保護パネル１０１は、１ｍｍ厚以下のアクリル、ＰＥＴ等の透明な樹脂素材が望ましいが、表示部保護パネルの強化ガラス素材であってもよい。いずれにしても、保護パネル１０１は、外部からの圧力により大きな曲げが生じず、振動子１１１が破断することのないように、曲げ強度の高い素材を用いることが望ましい。
本実施形態の保護パネル１０１は、表面がタッチパネルとして構成されており、通話装置１００の各種情報を表示する表示部としての機能と、数字や文字入力、各種選択等を行うときに操作される操作部としての機能とを有している。
また、保護パネル１０１の裏面側には、振動子１１１が設けられている。振動子１１１については、後述する。
【００３９】
操作キー１０２は、タッチパネルを用いなくとも、操作入力を行えるように設けられた操作部材である。
【００４０】
マイク１０３は、通話時の音声を入力するマイクである。
【００４１】
図２は、通話装置１００の一部を図１中の矢印Ａ−Ａで切断した断面図である。
保護パネル１０１は、その周囲が筐体１１０に固定されている。また、保護パネル１０１の裏面側には、振動子１１１が、両面テープ１１３により面接合されている。
【００４２】
筐体１１０は、樹脂又はアルミニウム等の金属ダイキャストにより形成されている。筐体１１０には、保護パネル１０１を固定する固定部１１０ａが保護パネル１０１の周縁部に対応して形成されている。
【００４３】
振動子１１１は、両面テープ１１３を用いて保護パネル１０１に対して全面が貼り付けられており、振動子１１１の振動は、そのまま保護パネル１０１へ伝わる。また、振動子１１１は、保護パネル１０１から利用者の頭蓋骨を介して利用者の聴覚器官に振動が伝わらない可聴域の周波数帯の振動を音声信号に応じて行う。いい替えると、振動子１１１は、従来からの骨伝導よりも弱い振動を行う。
【００４４】
なお、本実施形態では、保護パネル１０１からは、利用者の頭蓋骨を介しては、利用者の聴覚器官に振動が伝わらないように振動子１１１が振動を行う。ここで、振動子１１１へ与えるパワーを大きくしたり、又は、保護パネル１０を利用者が強い力で頭蓋骨に当て付けたりした場合には、振動子１１１の振動が、頭蓋骨を介して利用者の聴覚器官に振動がわずかに伝わる場合もあり得る。しかし、本発明において、振動子１１１へ与えるパワーは、その消費電力を小さくするために、頭蓋骨を振動させるだけの振動を保護パネル１０１に生じさせるために充分な振動を発生させない。よって、保護パネル１０１から聴覚器官に伝わる振動と気導音のうち、利用者の頭蓋骨を介して利用者の内耳に伝わる振動は、利用者の外耳を介して利用者の内耳に伝わる振動と気導音よりも充分に小さい。
【００４５】
本実施形態の振動子１１１が発生する振動は、単純な上下振動ではなく屈曲振動をしている。保護パネル１０１を振動子１１１の屈曲振動により曲げる振動を与えることで、保護パネル１０１の表面は、波打つように振動し、保護パネル表面に生成された複数の波から気導音が生成されている。
図８は、保護パネル１０１の振動の様子を誇張して示した図である。振動子１１１が貼り付けられている位置に対応した振動位置１０１ａにおいて局所的に大きく屈曲振動が生じる。この屈曲振動が保護パネル１０１の他の位置に伝わっていき、その振動は、振動位置１０１ａからの距離が離れるにしたがい、振動の振幅が小さくなっている。このように、振動子１１１が屈曲振動を行うので、保護パネル１０１がガラスのような固い素材で形成されていたり、防水等で隅が接着されていたりする場合であっても、少ない消費電力で必要な振動を保護パネル１０１に生じさせることができる。
【００４６】
また、この振動が、保護パネル１０１を介して利用者の耳近傍の軟骨に伝えられ、外耳道内で音波を生成し鼓膜に伝え、最終的な音として認識させられる。本実施形態の振動子１１１が発生する振動は、保護パネル１０１を介して利用者の耳近傍の軟骨に伝わり、外耳道内で気導音が発生する。また、保護パネル１０１の振動により気導音が発生する。そして、鼓膜には、軟骨を介して伝わる振動と気導音による振動とが伝わり、最終的な音として認識させられる。従来の骨伝導は、頭蓋骨を振動させ、直接内耳（蝸牛、三半規管等）に振動を送ることにより音を認識させるため、鼓膜を使わないが、必要とする振動のエネルギが大きい。これに対して、本方式は一旦外耳道を震わせ空気による音波振動（気導音）を生成し、鼓膜を通じ通常の音と同様の認識をする点で、骨伝導とは大きく異なっている。また、骨を振動させる必要がないので、骨伝導と比較して微弱な振動であっても音声を伝えることができ、必要な振動のエネルギが小さい。
【００４７】
本実施形態の振動子１１１は、短冊形状、すなわち、板面の法線方向から見たときの形状が矩形形状である板形状に形成された圧電セラミックのバイモルフ素子であり、ベンディングモード（撓み振動）で駆動する。振動子１１１に使用する圧電材料は、Ｄ３１定数２６０ｐｍ／Ｖの高変位な圧電材料を、１層３０μｍの材料を１６層重ねた素子であり、サイズは２３．５ｍｍ×３．３ｍｍ×０．５ｍｍであり、容量が１μＦ（１ｋＨｚにおいて）であり、電圧０Ｖｐｐから２２Ｖｐｐで駆動する。
圧電素子からなる振動子１１１は、容量性負荷であるため、電圧駆動型のＤ級アンプから音声信号に忠実な電圧を圧電素子へ印加することにより、振動子１１１は、音声信号を再現するように振動する。Ｄ級アンプとしては、例えば、旭化成エレクトロニクス株式会社製のＡＫ７８４５を用いることができる。
【００４８】
配線１１２は、振動子１１１へ駆動に必要な信号を送る導線である。
【００４９】
両面テープ１１３は、振動子１１１と保護パネル１０１とを接合するための接着部材である。両面テープ１１３の基材は、不織布やアクリルフォーム等であり、接着材は、アクリル系の強力（１５Ｎ／２０ｍｍ程度）のもので、耐久性、テープ寸法安定性のよい汎用両面テープを用いている。なお、両面テープ１１３の厚さは、０．１ｍｍから０．２ｍｍのもの（例えば、ＤＩＣ株式会社製  ８１０ＨＤ）が望ましい。
【００５０】
筐体１１０と振動子１１１との間には、空隙Ｓが設けられている。この空隙Ｓを設けることにより、振動子１１１及び保護パネル１０１の振動を阻害することを防止できる。なお、空隙Ｓの部分には、振動を阻害しないような柔軟な弾性部材、例えば、スポンジ状の部材等を設けてもよい。この弾性部材は、振動子１１１の振動に追従して変形するものであればよく、例えば、硬度の低いエラストマー等であってもよい。
【００５１】
音声信号に基づいて振動子１１１が振動すると、保護パネル１０１は、振動子１１１とともに振動して、気導音を発生する。また、このときに利用者が、保護パネル１０１の振動子１１１が設けられている付近を耳付近の軟骨に当て付けると、保護パネル１０１の振動が軟骨に伝わり、外耳道内に気導音が発生する。そして、鼓膜には、軟骨を介した振動と、気導音による振動とが伝わり、利用者は、音として認識する。
【００５２】
以上説明したように、第１実施形態によれば、保護パネル１０１の振動により生じる気導音の他、骨伝導よりも弱い振動が耳周辺の軟骨を振動させ、外耳道内に気導音が発生する。そして、鼓膜には、保護パネル１０１が発生した気導音と、軟骨を介して外耳道内に発生した気導音と、軟骨から直接鼓膜に伝わる振動とにより、鼓膜が振動する。このように、第１実施形態によれば、通話装置１００は、２系統の気導音と、振動とを鼓膜に伝えることができ、騒音の多い環境においても聞き取りやすい音声伝達を行える。
また、外耳道を塞ぐ等して外部の気導音を通さない装置（例えば、カナル型イヤホンや耳栓、防音イヤーマフ等）を装着していても、その装置の上に通話装置１００を接触させることで、その装置が振動し外耳道側に気導音を発する他、人体に振動を伝えることができる。
さらに、振動子１１１は、保護パネル１０１に対して貼り付けられているだけであり、部品点数が少なくて済み、製造も容易である。
さらにまた、通話装置１００は、レシーバ用の気導音を伝達するための孔（音孔）を設けなくてもよいので、防水性、防塵性が高い。また、音孔が不要なので、耳等により音孔を塞いでしまって音声を聞き取りにくくなるといった問題も生じない。
また、振動子１１１の振動は、従来の骨伝導の場合と比べて、格段にエネルギの小さな振動であることから、利用者が不快に感じることもなく、消費電力も低く抑えることができる。
【００５３】
（第２実施形態）
図３は、第２実施形態の通話装置２００を示す斜視図である。
以下の説明では、図３中で見えている側の面を表面と呼び、見えていない側の面を裏面と呼ぶ。
なお、前述した第１実施形態と同様の機能を果たす部分には、末尾に同一の符号を付して、重複する説明を適宜省略する。
【００５４】
第２実施形態の通話装置２００は、第１実施形態の通話装置１００と同様に、筐体２１０の表面側に、保護パネル２０１と、操作キー２０２と、マイク２０３とを備えた携帯電話端末である。
ただし、第２実施形態の通話装置２００は、振動子２１１が設けられている位置が、第１実施形態と異なっている。具体的には、振動子２１１は、筐体２１０に裏面側から面接合されている。
【００５５】
図４は、通話装置２００の一部を図３中の矢印Ｂ−Ｂで切断した断面図である。
通話装置２００は、筐体２１０の一端部の近傍において、裏面側から振動子２１１が、両面テープ２１３により面接合されている。
【００５６】
筐体２１０は、樹脂又はアルミニウム等の金属ダイキャストにより形成されている。筐体２１０は、外部からの圧力により大きな曲げが生じず、振動子２１１が破断することのないように、曲げ強度の高い素材を用いることが望ましい。
【００５７】
振動子２１１は、両面テープ２１３を用いて筐体２１０に対して全面が貼り付けられており、振動子１１１の振動は、そのまま筐体２１０へ伝わる。なお、振動子２１１は、貼り付けられている位置が異なる他は、第１実施形態の振動子１１１と同様である。また、振動子２１１は、筐体２１０から利用者の頭蓋骨を介して利用者の聴覚器官に振動が伝わらない可聴域の周波数帯の振動を音声信号に応じて行う。いい替えると、振動子２１１は、従来からの骨伝導よりも弱い振動を行う。
【００５８】
本実施形態の振動子２１１が発生する振動は、筐体２１０を介して利用者の耳近傍の軟骨に伝えられる。軟骨に伝わった振動の作用については、第１実施形態と同様である。
【００５９】
配線２１２は、振動子２１１へ駆動に必要な信号を送る導線である。
【００６０】
両面テープ２１３は、振動子２１１と筐体２１０とを接合するための接着部材である。両面テープ２１３自体は、第１実施形態の両面テープ１１３と同じものである。
【００６１】
通話装置２００の裏面側には、背面筐体２２０が設けられている。背面筐体２２０は、筐体２１０に対して裏面側から固定されており、振動子２１１は、筐体２１０と背面筐体２２０との間に設けられている。
筐体２１０と背面筐体２２０との間には、空隙Ｓが設けられている。この空隙Ｓを設けることにより、振動子２１１及び筐体２１０の振動を阻害することを防止できる。なお、空隙Ｓの部分には、第１実施形態で説明したように、弾性部材を設けてもよい。
【００６２】
音声信号に基づいて振動子２１１が振動すると、筐体２１０は、振動子２１１とともに振動して、気導音を発生する。また、このときに利用者が、筐体２１０の振動子２１１が設けられている付近を耳付近の軟骨に当て付けると、筐体２１０の振動が軟骨に伝わり、外耳道内に気導音が発生する。そして、鼓膜には、軟骨を介した振動と、気導音による振動とが伝わり、利用者は、音として認識する。
【００６３】
以上説明したように、第２実施形態によれば、振動子２１１を筐体２１０に面接合するように貼り付けたので、通話装置２００は、第１実施形態の通話装置１００と同様な効果を得ることができる。また、通話装置２００は、保護パネル２０１本来の機能を本発明の実施のために制限したり、その逆に、保護パネル２０１の機能を優先するために本発明の実施を制限されたりすることなく、本発明を利用できる。
【００６４】
（第３実施形態）
図５は、第３実施形態の通話装置３００を示す斜視図である。
なお、前述した第１実施形態と同様の機能を果たす部分には、末尾に同一の符号を付して、重複する説明を適宜省略する。
【００６５】
第３実施形態の通話装置３００は、第１の筐体３１０と、第２の筐体３２０とが軸部３３０を中心として回転移動可能な可動部として形成された、折りたたみ可能な携帯電話端末である。
上述した第１実施形態及び第２実施形態の通話装置は、当接部材の機能を、保護パネル１０１又は筐体２１０が兼ね備えていたが、第３実施形態の通話装置３００では、当接部材と筐体等とを、独立して設けている。
図５は、第１の筐体３１０及び第２の筐体３２０を開いた状態である使用形態を示しており、以下、第１の筐体３１０及び第２の筐体３２０それぞれが折りたたんだときに対向し合う面、すなわち、図５において見えている側の面を表面と呼ぶ。一方、第１の筐体３１０及び第２の筐体３２０それぞれが折りたたんだ収納形態のときに外側に露呈している側の面、すなわち、図５において隠れている側の面を裏面と呼ぶ。
【００６６】
第１の筐体３１０の表面には、保護パネル３０１と、当接部材３４０とが設けられている。
【００６７】
保護パネル３０１は、表示画面上に設けられており、表示画面を保護する。
【００６８】
当接部材３４０は、第１の筐体３１０の軸部３３０から離れた側の端部近傍に配置されており、利用者の耳及び／又は耳周辺の人体に当接させることが可能である。当接部材３４０の裏面側には、振動子３１１が設けられている。当接部材３４０は、外部からの圧力により大きな曲げが生じず、振動子３１１が破断することのないように、曲げ強度の高い素材を用いることが望ましい。当接部材３４０及び振動子３１１の詳細は、後述する。
【００６９】
第２の筐体３２０の表面には、操作キー３２１と、マイク３２２とが設けられている。
【００７０】
操作キー３２１は、数字や文字入力、各種選択等を行うときに操作される操作部材である。
【００７１】
マイク３２２は、通話時の音声を入力するマイクである。
【００７２】
図６は、通話装置３００の一部を図５中の矢印Ｃ−Ｃで切断した断面図である。
当接部材３４０は、周囲が両面テープ３１４を介して第１の筐体３１０に固定されている。また、当接部材３４０の裏面側には、振動子３１１が、両面テープ３１３により面接合されている。振動子３１１及び両面テープ３１３は、第１実施形態の振動子１１１及び両面テープ１１３と同様であり、配線３１２も第１実施形態の配線１１２と同様に設けられている。
当接部材３４０は、人体への接触を柔らかくするため、表面をシリコンゴム等で被覆してもよい。
【００７３】
第１の筐体３１０は、樹脂又はアルミニウム等の金属ダイキャストにより形成されている。第１の筐体３１０には、当接部材３４０を固定する固定部３１０ａが当接部材３４０の周縁部に対応して形成されている。そして、当接部材３４０は、固定部３１０ａとの間に両面テープ３１４を挟んで固定されている。当接部材３４０は、両面テープ３１４を挟むことにより、第１の筐体３１０とは、直接は接触していない。したがって、当接部材３４０は、両面テープの柔軟性により、振動しやすい状態で保持されている。
また、当接部材３４０と固定部３１０ａとの接合面積を可能な限り大きくすることで、当接部材３４０の共振を軽減することも好ましい。
【００７４】
以上説明したように、第３実施形態によれば、振動子３１１を当接部材３４０に面接合するように貼り付けたので、通話装置３００は、第１実施形態の通話装置３００と同様な効果を得ることができる。また、通話装置３００は、当接部材３４０を設けたので、第１の筐体３１０や保護パネル３０１の影響を受けずに、振動伝達に適した材料を用いることができる。さらに、当接部材３４０は、両面テープ３１４の柔軟性により、振動しやすい状態で保持されているので、通話装置３００は、振動エネルギのロスを防止できる。
【００７５】
（第４実施形態）
図７は、第４実施形態の通話装置４００を示す斜視図である。
なお、前述した第１実施形態と同様の機能を果たす部分には、末尾に同一の符号を付して、重複する説明を適宜省略する。
【００７６】
通話装置４００は、筐体４１０の表面側に、保護パネル４０１と、操作キー４０２と、マイク４０３と、電磁レシーバ４０４とを備えた携帯電話端末である。
保護パネル４０１と、操作キー４０２と、マイク４０３とは、それぞれ、第１実施形態の保護パネル１０１と、操作キー１０２と、マイク１０３と同様である。保護パネル４０１の裏面側には、第１実施形態と同様にして、振動子４１１が面接合して設けられている。
【００７７】
電磁レシーバ４０４は、通話時に気導音を発する小型のスピーカである。
第４実施形態の通話装置４００は、通話時には、上述した振動子４１１の振動により保護パネル４０１が振動して、気導音を発生するとともに人体への振動伝達も行う。さらに、通話装置４００は、電磁レシーバ４０４から積極的に気導音を発生させる。
【００７８】
以上説明したように、第４実施形態の通話装置４００は、振動子４１１と電磁レシーバ４０４を併せて備えるので、より聞き取りやすい通話装置とすることができる。
【００７９】
（第５実施形態）
図９は、第５実施形態の通話装置５００を示す斜視図である。
以下の説明では、図９中で見えている側の面を表面と呼び、見えていない側の面を裏面と呼ぶ。
なお、前述した第１実施形態と同様の機能を果たす部分には、末尾に同一の符号を付して、重複する説明を適宜省略する。
【００８０】
第５実施形態の通話装置５００は、第１実施形態の通話装置１００と同様に、筐体５１０の表面側に、保護パネル５０１と、操作キー５０２と、マイク５０３とを備えた携帯電話端末である。
【００８１】
図１０は、通話装置５００の一部を図９中の矢印Ｄ−Ｄで切断した断面図である。
保護パネル５０１は、周囲が両面テープ５１４を介して筐体５１０に固定されている。また、保護パネル５０１の裏面側には、振動子５１１が、両面テープ５１３により面接合されている。振動子５１１は、短冊形状、すなわち、板面の法線方向から見たときの形状が矩形形状である板形状に形成された圧電セラミックのバイモルフ素子であり、ベンディングモード（撓み振動）で駆動する。振動子１１１に使用する圧電材料は、Ｄ３１定数２６０ｐｍ／Ｖの高変位な圧電材料を、１層３０μｍの材料を２４層重ねた素子であり、サイズは２３．５ｍｍ×４．５ｍｍ×０．７ｍｍであり、電圧０Ｖｐｐから３０Ｖｐｐで駆動する。よって、振動子５１１は、第１実施形態の場合よりも大きな振動出力を得ることができる。本実施形態の通話装置５００は、通常の音声再生を行う動作モード（以下、通常モード）の他、通常モードよりも著しく音量の大きな大音量モードを備えている。本実施形態では、上述のように２４層に重ねた圧電素子を用いることにより、通常モード時には、圧電素子の能力に余裕を持った駆動を行っている。一方、大音量モード時には、圧電素子により大きな振動を起こさせるように信号を送り、大音量を発生させることができる。大音量モードの詳細は、後述する。なお、振動子５１１の取り付け方は、第１実施形態の振動子１１１と同様である。両面テープ５１３は、第１実施形態の両面テープ１１３と同様であり、配線５１２も第１実施形態の配線１１２と同様に設けられている。
【００８２】
筐体５１０は、樹脂又はアルミニウム等の金属ダイキャストにより形成されている。筐体５１０には、保護パネル５０１を固定する固定部５１０ａが保護パネル５０１の周縁部に対応して形成されている。そして、保護パネル５０１は、固定部５１０ａとの間に両面テープ５１４を挟んで固定されている。保護パネル５０１は、両面テープ５１４を挟むことにより、筐体５１０とは、直接は接触していない。また、保護パネル５０１の周縁部と筐体５１０との間には、空隙Ｓ２が設けられており、この部分についても、保護パネル５０１は、筐体５１０とは、直接は接触せずに、所定の距離を保っている。したがって、保護パネル５０１は、両面テープの柔軟性により、振動しやすい状態で保持されており、大きな振動を行うことが可能である。また、保護パネル５０１が大きな振動を行っても、筐体５１０と接触することがないので、保護パネル５０１と筐体５１０とが振動時に接触して「ビリビリ」といった不快な振動音が発生することを防止できる。また、保護パネル５０１と固定部５１０ａとの接合面積を可能な限り大きくすることで、保護パネル５０１の共振を軽減することも好ましい。
【００８３】
図１１は、第５実施形態の通話装置５００の内部構成の概略を示すブロック図である。
通話装置５００は、振動子５１１と、通信部５５１と、駆動回路部５５２とを備えている。
通信部５５１は、通話を管理する回路である。通信部５５１からは、音声信号が駆動回路部５５２へと出力される。
【００８４】
駆動回路部５５２は、振動子５１１を駆動する信号を生成する回路である。駆動回路部５５２は、イコライザ部（ＥＱ）５５４と、ダイナミックレンジ圧縮部（ＤＲＣ）５５５と、アウトプットパワーコントローラ（ＯＰＣ）５５６と、アンプ（ＡＭＰ）５５７とを備えている。
【００８５】
イコライザ部（ＥＱ）５５４は、周波数イコライジングを行う。イコライザ部５５４は、通信部５５１から得た音声信号に、必要な場合に周波数イコライジングを行って、ダイナミックレンジ圧縮部５５５へ送る。イコライザ部５５４の具体的な動作については、後述する。
【００８６】
ダイナミックレンジ圧縮部（ＤＲＣ）５５５は、ＤＲＣ（ダイナミックレンジコンプレション）機能により、聞きやすい音の作成を行う。ダイナミックレンジ圧縮部５５５は、イコライザ部５５４から得た音声信号に、必要な場合にダイナミックレンジの圧縮処理を行い、アウトプットパワーコントローラ５５６へ送る。ダイナミックレンジ圧縮部５５５の具体的な動作については、後述する。
【００８７】
アウトプットパワーコントローラ（ＯＰＣ）５５６は、出力の制限を行う。アウトプットパワーコントローラ５５６のこの機能は、ダイナミックレンジ圧縮部５５５の３バンドＤＲＣの結果出力を加算するときに、不都合となる過大出力が発生することを防ぐ機能である。本機能により過大出力で聴覚機能を損傷する事を防止できる。
【００８８】
アンプ（ＡＭＰ）５５７は、アウトプットパワーコントローラ５５６から得た音声信号を増幅して、振動子５１１へ送る増幅部である。このアンプ５５７としては、例えば、新日本無線社製の、ＮＪＷ１２６３を用いることができる。アンプ５５７は、大音量モード時には、通常モード時よりも増幅率を大幅に高める。
【００８９】
次に、大音量モードについて説明する。上述したように、本実施形態の通話装置５００は、通常モードの他、通常モードよりも著しく音量の大きな大音量モードを備えている。通常モードは、聴覚機能が正常な利用者に適した音声伝達を行えるモードである。一方の大音量モードは、聴力が低下していて通常モードでは、音声が聞き取りにくい利用者（以下、難聴者）にとって聞き取りやすい音声伝達を行うモードである。これらのモードの設定は、利用者が行うものではなく、例えば、製造工場において設定したり、販売店で設定したりすることが望ましい。また、この設定変更時に、イコライザ部５５４及びダイナミックレンジ圧縮部５５５の具体的な動作パラメータの設定を、利用者（難聴者）に合わせた適切な値に設定する。
【００９０】
通常モード時には、駆動回路部５５２は、アンプ５５７による信号の増幅率を低く抑えて、振動子５１１を振動させる。また、通常モード時には、駆動回路部５５２は、イコライザ部５５４及びダイナミックレンジ圧縮部５５５を機能させない。
これに対して、大音量モード時には、駆動回路部５５２は、アンプ５５７による信号の増幅率を大きくし、イコライザ部５５４及びダイナミックレンジ圧縮部５５５を機能させる。
【００９１】
ここで、大音量モード時にどの程度の音量とするのかについて説明する。実際の通話時には、音源が様々であり、また、利用者によって受け取り方が様々なので、下記のような試験法を用いて、大音量モード時の音量を規定する。
【００９２】
１ｋＨｚの正弦波音を通話装置５００へ入力し、通話装置５００から出力される音が最大となるように設定する。そして、保護パネル５０１をＩＴＵ−Ｔ勧告  Ｐ．５８に準拠する装置、例えばＢ＆Ｋ社製  Type 4128DのHATS（Head and Torso Simulator）へ標準疑似耳（Standardised Right Ear Simulator Type 4158C）に装着する。次に、較正されたハンドセット・ポジショナー（Type 4606）を用いて疑似耳にあてる中心位置を振動子５１１の直上又は最大音量を出す位置に合わせる。この状態で、保護パネル５０１を疑似耳へ４から１０Ｎの圧力をかけてあてる。そして、鼓膜位置の較正されたマイクにより気導音の音圧をＩＥＣ  ６０６５１規格で規定されるＡ特性フィルタを通して音の大きさｄＢＡを測定した時、１００ｄＢＡ以上の気導音を出力するように、アンプ５５７の増幅率が設定されている。
【００９３】
この設定では、通話装置５００は、気導音のみで１００ｄＢＡを出力している。しかし、実際の利用時においては気導音のみではなく、保護パネル５０１から人体へ伝わる振動成分が聴覚器官に伝わることにより、利用者が感じる音の大きさ（ラウドネス）は気道音より大きくなる。
【００９４】
大音量モード時には、イコライザ部５５４は、ＥＱ機能による難聴者の聞こえ対策と、ＥＱ機能による音漏れ対策とを行っている。
難聴者は、様々な聞こえの周波数特性を持つため、各々の聞こえ特性にあわせた高度な周波数イコライジング（例：１０バンドＥＱ機能）を施す事により、より聞こえやすい音声伝達が可能となる。よって、この難聴者用のイコライジングは、利用者個々に合わせた設定値とすることが望ましい。
また、圧電素子は、２〜４ＫＨｚの周波数帯の出力が大きい特性をもっている。必要以上に出力されているこれらの帯域をイコライジング処理で抑制することで周波数特性を向上させながら、音漏れとして耳に付きやすい２〜４ｋＨｚの周波数帯域の出力を抑制する。
【００９５】
図１２は、イコライザ部５５４が行う周波数イコライジングの例を示す図である。
本実施形態では、大音量モードでは通常モードよりも大きな振動出力が得られる振動子５１１を用いているので、周波数イコライジング処理により振動を減衰させた領域の振動が減少しすぎることもなく、適切な振動振幅を確保しながら、周波数特性を改善できる。
【００９６】
この周波数イコライジング処理を、図１２を参照して具体的に説明する。
図１２中の一点鎖線で示した特性Ｆ１は、通常モードで振動子５１１を２２Ｖｐｐで駆動したときの周波数特性を示している。
図１２中の破線で示した特性Ｆ２は、大音量モードで振動子５１１を３０Ｖｐｐで駆動したときの周波数特性を示している。
図１２中の実線で示した特性Ｆ３は、大音量モードで振動子５１１を３０Ｖｐｐで駆動し、かつ、周波数イコライジング処理を行ったときの周波数特性を示している。
【００９７】
特性Ｆ２は、２４層の振動子５１１を大音量モードで駆動したことにより、通常モード時の特性Ｆ１よりも全体で振動レベルが増加している。しかし、２〜４ＫＨｚの周波数帯の出力が大きい傾向は、特性Ｆ１の場合と変わっていない。この特性Ｆ２に周波数イコライジング処理を行い、２〜４ＫＨｚの周波数帯の振動を減衰させてやることにより、特性Ｆ３では、全体として周波数特性が均一に近くなっている。また、ピーク付近の振動を減衰させた後の特性Ｆ３でも、特性Ｆ１と比較して遜色のない振動レベルを確保している。よって、利用者に伝わる振動のレベルが低下せず、利用者は、音漏れを減少させながら、十分な音量で、より自然な周波数特性の音を聞くことができる。
【００９８】
次に、大音量モード時のダイナミックレンジ圧縮について説明する。
難聴者は、小さい音が聞こえづらく、反面大きな音は健聴者と変わらない程度に聞こえる特性を持つ場合が多い。つまり、単に大音量にしても逆にうるさく不快に感じてしまう場合がある。そこで、本実施形態では、ダイナミックレンジ圧縮部５５５により小さい音を大きくし、大きい音は小さい音よりも増幅しないダイナミックレンジ圧縮処理を行う。ダイナミックレンジ圧縮処理は、例えば周波数帯域毎に（例えば低域、中域、高域に三分割して）、それぞれ異なるダイナミックレンジ圧縮を行うことで、様々な難聴の聞こえのタイプに対応できる。本実施形態では、先に示した図１１に示すように、低域用ダイナミックレンジ圧縮部５５５ａと、低域用ダイナミックレンジ圧縮部５５５ｂと、低域用ダイナミックレンジ圧縮部５５５ｃとの３つのダイナミックレンジ圧縮部が設けられている。
【００９９】
図１３は、難聴者の聴力を説明するグラフである。
図１３において、左方が低音（低周波数）であり、右方が高音（高周波数）を示す。また、下方に行くほど、音量が大きい。
音量が小さいと小さくて聞こえないが、音量を大きくしていくと、聞こえる領域になる。この閾値を、聴力閾値と呼ぶこととする。この聴力閾値は、使用者が聞き取れる最小音量ということになる。
聞こえる領域から、さらに音量を増加させていくと、大きすぎて不快に感じる領域となってしまう。この閾値を不快閾値と呼ぶこととする。この不快閾値は、使用者が聞くに耐えられる最大音量ということになる。
【０１００】
この図１３は、一般的な感音性難聴の聴力グラフであり、低い音は小さくて聞こえない音から大きすぎてうるさく不快に感じる音までの幅（ダイナミックレンジ）が大きい。逆に高い音では小さくて聞こえない音から大きすぎてうるさく感じる音までの幅（ダイナミックレンジ）が小さい。よってこのような難聴タイプの場合は、高い音の周波数でダイナミックレンジ圧縮を大きくかけることにより聞きやすくなる。
【０１０１】
図１４は、リクルートメント現象を説明する図である。
感音性難聴の難聴者には、リクルートメント現象（聴覚補充現象）という現象が生じる場合がある。図１４中の線Ｌ１は、実際に耳に入る音の大きさに対する、健聴者が感じる音の大きさとのおおよその関係を示す。線Ｌ２は、実際に耳に入る音の大きさに対し、リクリートメント現象が生じる難聴者が感じる音の大きさとのおおよその関係を示す。健聴者では、線Ｌ１のように、耳に入る実際の音の大きさと、感じる音の大きさとが比例しているとすると、線Ｌ２で示されるように、リクルートメント現象が生じる難聴者では、閾値Ｐより小さい音は聞こえず、閾値を超えると聞こえる音量が急上昇したように感じてしまう。すなわち、小さい音は聞こえ難いが、大きな音は健聴者よりも急に大きく感じてしまい不快となる。よって、リクルートメント現象を持つ難聴者に対しては、音を単純に増幅するのではなく適切にダイナミックレンジ圧縮処理を行い、小さい音と大きい音との差を縮めてから増幅することにより、このようなリクルートメント現象を有する感音性難聴の難聴者にとっても聞き取りやすい音声伝達を行える。
【０１０２】
図１５は、ダイナミックレンジ圧縮処理の概要を示す図である。
ダイナミックレンジ圧縮処理によって、大きな音と小さな音との差が縮まり、小さな音を実質的に底上げしたのと同様な効果を得ることができる。
【０１０３】
なお、本実施形態では、アンプ５５７の前にイコライザ部５５４を配置している例を挙げたが、アンプ５５７の前段のイコライザ部５５４の代わりに、アンプ５５７の後段にフィルタ（バンドパスフィルタやローパスフィルタ）を挿入するようにしてもよい。
また、第５実施形態の構成は、第２実施形態から第４実施形態に適用してもよい。
【０１０４】
以上説明したように、第５実施形態によれば、通話装置５００は、より大きな振動出力を得ることができる振動子５１１を用いた。そして、大音量モードでイコライザ部５５４と、ダイナミックレンジ圧縮部５５５とを用いて難聴者にとって聞こえやすい音声伝達を実現した。この音声伝達は、単なる気導音だけでなく、人体を伝わる振動によっても行われるので、難聴者にとって非常に聞き取りやすい音声伝達となる。
【０１０５】
以上、この発明の実施形態につき、図面を参照して詳述してきたが、具体的な構成はこの実施形態に限られるものではなく、この発明の要旨を逸脱しない範囲の設計等も含まれる。
【０１０６】
（変形形態）
（１）各実施形態において、振動子は、両面テープを用いて保護パネルや筐体等に面接合されている例を挙げて説明した。これに限らず、例えば、接着剤を用いてもよい。
【０１０７】
（２）各実施形態において、通話装置は、携帯電話端末である例を挙げて説明した。これに限らず、例えば、固定電話や無線機等、他の種類の通話装置であってもよい。
【０１０８】
（３）第２実施形態の図３、図４において、筐体２１０に振動子２１１を設置し、背面筐体２２０との間に空隙Ｓを設けた例を示した。これに限らず、例えば、筐体２１０を背面筐体と考え、背面筐体２２０を表示部の保護パネルに相当する部材（当接部材）と考えると、表示部とは反対面の筐体に振動子を設置する形態も考えられる。当接部材の大きさは、背面全面を覆う大きさでもよいが、耳に当てやすい背面の一部としてもよい。この当接部材の材質は、第１実施形態のものに準じるが、この場合は不透明でよい。また、背面全面を当接部材にする場合は、振動子は、耳が当たりやすい位置となる上部に設置されることが望ましい。また、背面の一部を当接部材とする場合は、振動子は、当接部材中央に設置されてもよい。また、このような形態の場合、耳を表示部とは反対面の筐体に当てて使用することができる。この利用方法の場合には、図３のマイク２０３を表示部とは反対面に設置することが望ましい。
この形態によれば、第２実施形態の効果がそのまま得られる他、表示部の額縁部分を、より狭く設計することが可能になり、また、表示部の保護パネル面への皮脂の付着が無く利便性が高まるといった効果が得られる。
【０１０９】
（４）第５実施形態において、大音量モードを有するために、振動子となる圧電素子の厚さと積層数を適切に増加させた例を挙げた。これに限らず、例えば、振動子の幅や長さを変え振動子を大きくしてもよいし、圧電材料をより高変位材料としてもよい。また、例えば、複数の振動子を並行に並べて搭載して、同一当接部材に対して複数の振動子が適切な配置となるようにしてもよい。
【０１１０】
なお、第１実施形態から第５実施形態及び変形形態は、適宜組み合わせて用いることもできるが、詳細な説明は省略する。
【符号の説明】
【０１１１】
１００，２００，３００，４００，５００  通話装置
１０１，２０１，３０１，４０１，５０１  保護パネル
１０２，２０２，３２１，４０２，５０２  操作キー
１０３，２０３，３２２，４０３，５０３  マイク
１１０，２１０，４１０，５１０  筐体
１１０ａ，３１０ａ，５１０ａ  固定部
１１１，２１１，３１１，４１１，５１１  振動子
１１２，２１２，３１２，５１２  配線
１１３，２１３，３１３，３１４，５１３，５１４  両面テープ
２２０  背面筐体
３１０  第１の筐体
３２０  第２の筐体
３３０  軸部
３４０  当接部材
４０４  電磁レシーバ
５５１  通信部
５５２  駆動回路部
５５４  イコライザ部
５５５  ダイナミックレンジ圧縮部
５５５ａ  低域用ダイナミックレンジ圧縮部
５５５ｂ  中域用ダイナミックレンジ圧縮部
５５５ｃ  高域用ダイナミックレンジ圧縮部
５５６  アウトプットパワーコントローラ
５５７  アンプ
Ｓ，Ｓ２  空隙
【図１】
2013255212.tif 000003
【図２】
2013255212.tif 000004
【図３】
2013255212.tif 000005
【図４】
2013255212.tif 000006
【図５】
2013255212.tif 000007
【図６】
2013255212.tif 000008
【図７】
2013255212.tif 000009
【図８】
2013255212.tif 000010
【図９】
2013255212.tif 000011
【図１０】
2013255212.tif 000012
【図１１】
2013255212.tif 000013
【図１２】
2013255212.tif 000014
【図１３】
2013255212.tif 000015
【図１４】
2013255212.tif 000016
【図１５】
2013255212.tif 000017